(57)【特許請求の範囲】
【請求項１】
上枠と下枠及び左右の縦枠を方形状に枠組みしてなる枠体内に障子を開閉自在に納め、該障子は上框と下框及び左右の縦框を方形状に框組みしてなる框体内にパネル体を納めてなると共に、前記下框が調整器を介して前記下枠に連係されるサッシにおいて、
前記下枠は、前記下框の外周面と対向する室外内周面部と、該室外内周面部の室内端部から上方に向かう段差状に形成される室内内周面部と、該室内内周面部の室内端部から見付方向内側に向かって伸びる室内面部とを有してなり、
前記下枠の室内内周面部には前記調整器が固定され、前記室内面部は室外側に向かって伸びる室外延出部を備え、該室外延出部は前記調整器の上方を覆い、
前記調整器は前記下枠から露出する見付方向の範囲が前記下框の見付方向範囲内に納まるように配置されると共に、前記室外延出部は前記下框の見付方向内側端部と見付方向略同位置に形成されてなることを特徴とするサッシ。
【請求項２】
前記室外延出部は平面状に形成されてなることを特徴とする請求項１記載のサッシ。
【請求項３】
前記枠体は、金属製の室外枠部材及び室内枠部材を樹脂製のブリッジ材で連結してなり、前記下枠の室外枠部材と室内枠部材は、前記室外内周面部の位置で前記ブリッジ材により連結されることを特徴とする請求項１または２記載のサッシ。
【請求項４】
前記室内枠部材は室内側の内周面が前記框体の見付方向内側端部と略同位置となるように形成されることを特徴とする請求項３記載のサッシ。
【発明の詳細な説明】
【技術分野】
【０００１】
本発明は、建物開口部に設置されるサッシに関し、特に金属製の室外枠部材と室内枠部材とを樹脂製のブリッジ材で連結してなるサッシに関する。
【背景技術】
【０００２】
従来、建物開口部に設けられるサッシの断熱性を高めるため、金属製の室外枠部材と室内枠部材とを、樹脂製のブリッジ材で連結することが知られている。金属製の部材を樹脂製のブリッジ材で室内外に連結することにより、室外側に露出する室外枠部材と室内側に露出する室内枠部材とを熱的に絶縁することができ、断熱性を高くすることができる。このようなブリッジ構造により断熱性を高くしたサッシとしては、例えば特許文献１に挙げるようなものがある。
【先行技術文献】
【特許文献】
【０００３】
【特許文献１】特開２００９−２９３３００号公報
【発明の概要】
【発明が解決しようとする課題】
【０００４】
枠体内に障子を開閉自在に納める開き窓サッシにおいては、枠体と障子とを連係させる調整器が設けられる。調整器は、開き窓の一種である縦辷り出し窓においては、本体が下枠に取付けられ、調整器の本体から揺動自在な腕の一端が障子の下框に固定され、枠体と障子が連係される。
【０００５】
調整器は、意匠上は室内側に露出しないことが望ましいが、室外枠部材と室内枠部材とをブリッジ材で連結してなるブリッジ構造の枠体において、調整器を露出させず、意匠性を良好とする構造は知られていなかった。
【０００６】
本発明は前記課題を鑑みてなされたものであり、開き窓において調整器を露出させず意匠性を良好にすることのできるサッシを提供することを目的とする。
【課題を解決するための手段】
【０００７】
前記課題を解決するため、本発明に係るサッシは、上枠と下枠及び左右の縦枠を方形状に枠組みしてなる枠体内に障子を開閉自在に納め、該障子は上框と下框及び左右の縦框を方形状に框組みしてなる框体内にパネル体を納めてなると共に、前記下框が調整器を介して前記下枠に連係されるサッシにおいて、
前記下枠は、前記下框の外周面と対向する室外内周面部と、該室外内周面部の室内端部から上方に向かう段差状に形成される室内内周面部と、該室内内周面部の室内端部から見付方向内側に向かって伸びる室内面部とを有してなり、
前記下枠の室内内周面部には前記調整器が固定され、前記室内面部は室外側に向かって伸びる室外延出部を備え、該室外延出部は前記調整器の上方を覆い、
前記調整器は前記下枠から露出する見付方向の範囲が前記下框の見付方向範囲内に納まるように配置されると共に、前記室外延出部は前記下框の見付方向内側端部と見付方向略同位置に形成されてなることを特徴として構成されている。
【０００８】
また、本発明に係るサッシは、前記室外延出部は平面状に形成されてなることを特徴として構成されている。
【０００９】
さらに、本発明に係るサッシは、前記枠体は、金属製の室外枠部材及び室内枠部材を樹脂製のブリッジ材で連結してなり、前記下枠の室外枠部材と室内枠部材は、前記室外内周面部の位置で前記ブリッジ材により連結されることを特徴として構成されている。
【００１０】
さらにまた、本発明に係るサッシは、前記室内枠部材は室内側の内周面が前記框体の見付方向内側端部と略同位置となるように形成されることを特徴として構成されている。
【発明の効果】
【００１１】
本発明に係るサッシによれば、下枠は、下框の外周面と対向する室外内周面部と、室外内周面部の室内端部から上方に向かう段差状に形成される室内内周面部と、室内内周面部の室内端部から見付方向内側に向かって伸びる室内面部とを有し、室内内周面部には調整器が配置され、室内面部は室外側に向かって伸びる室外延出部を備え、室外延出部は調整器の上方を覆うことにより、調整器の取付空間を確保した上で該調整器を室内側に露出させないようにすることができ、縦辷り出し窓サッシの意匠性を高くすることができる。
【００１２】
また、本発明に係るサッシによれば、室外延出部は下框の見付方向内側端部と見付方向略同位置で平面状に形成されてなることにより、サッシの室内外に渡る連続的な内観を奏し、また下框が下枠により隠れるので、意匠性の高いサッシとすることができる。
【００１３】
さらに、本発明に係るサッシによれば、下枠の室外枠部材と室内枠部材は、室外内周面部の位置でブリッジ材により連結されるので、室内内周面部によりブリッジ材が室内側から見えにくいようにすることができ、意匠性をより高くすることができる。
【００１４】
さらにまた、本発明に係るサッシによれば、室内枠部材は室内側の内周面が框体の見付方向内側端部と略同位置となるように形成されることにより、枠体により障子の框体を隠して、サッシの内観意匠性を向上させることができる。
【図面の簡単な説明】
【００１５】
【図１】本実施形態におけるサッシの縦断面図である。
【図２】本実施形態におけるサッシの横断面図である。
【図３】調整器を含むサッシの横断面図であって障子が閉じた状態とある程度開いた状態とを表した図である。
【図４】図１のうち下枠付近の拡大図である。
【発明を実施するための形態】
【００１６】
本発明の実施形態について図面に沿って詳細に説明する。図１には本実施形態におけるサッシの縦断面図を、図２には本実施形態におけるサッシの横断面図を、それぞれ示している。これら各図に示すように、本実施形態のサッシは、方形状に枠組みしてなる枠体１内に障子２を開閉自在に納めてなる縦辷り出し窓サッシである。障子２は、方形状の框体３内にガラス板からなるパネル体４を納めて構成されており、枠体１の下辺に配置される調整器５と連係して、一方側の縦辺を中心として室内外方向に開閉自在となるようにされている。
【００１７】
枠体１は、上枠１０と下枠１１及び左右の縦枠１２、１２からなり、これらの部材で上下左右の辺を構成している。また、枠体１を構成する上枠１０と下枠１１及び縦枠１２は、それぞれいずれも金属製の室内枠部材２１と室外枠部材２０とを、樹脂製のブリッジ材２２で連結して構成されている。これにより、室外側に露出する室外枠部材２０と室内側に露出する室内枠部材２１との間を断熱し、サッシの断熱性能を高くすることができる。
【００１８】
室内枠部材２１と室外枠部材２０を連結するブリッジ材２２は、枠体１の四周各辺の長手方向に沿ってそれぞれ見付方向内外に２本ずつが離隔して配設されており、それぞれの室内端部が室内枠部材２１に、室外端部が室外枠部材２０に、嵌入されて、両者を連結した状態としている。
【００１９】
障子２を構成する框体３は、上框３０と下框３１及び左右の縦框３２、３２を方形状に框組みしてなるものである。上框３０と下框３１及び縦框３２は、いずれも室外側面に室外保持部３５を、室内側面に室内保持部３６を、それぞれ備え、室外保持部３５と室内保持部３６により、パネル体２の周縁部を室内外から保持する。これら室外保持部３５と室内保持部３６の各先端部が、框体３の見付方向内側端部位置となる。
【００２０】
上框３０と下框３１は、それぞれ上枠１０と下枠１１により、左右一方側で回動自在に支持されている。戸先側の縦框３２には、手で持ってロック操作を行うと共に、障子２を開閉する把手部７が設けられる。また、下枠１１には、一定の経路で障子２が開閉自在となるように下框３１と連係する調整器５が固定されている。
【００２１】
図３には、調整器５を含むサッシの横断面図であって障子２が閉じた状態とある程度開いた状態とを表した図である。調整器５は、下枠１１に固定され回動の中心となる支軸部５ａと、支軸部５ａに対して回動自在な回動腕５ｂと、回動腕５ｂから障子２の開閉に合わせて出没自在な出没部５ｃと、出没部５ｃの先端に位置し障子２に対して固定される障子固定部５ｄとを有して構成されている。
【００２２】
図３に示されているように、障子２を閉じた状態では、出没部５ｃはほとんどが回動腕５ｂ内に納められているが、障子２を開くことで、回動腕５ｂが支軸部５ａを中心に回動し、それに伴い出没部５ｃが回動腕５ｂから突出して、障子２が辷り出し状に開いていくこととなる。
【００２３】
枠体１を構成する上枠１０は、障子２と対向する内周面が段状をなすように形成されている。まず、上枠１０の室外側の内周面は、障子２の上辺外周面と対向する室外内周面部１０ａであり、この室外内周面部１０ａには、障子２側に向かって突出し、気密材１４を保持する気密材保持片１０ｂが形成されている。上枠１０は、室外内周面部１０ａの位置においてブリッジ材２２で室外枠部材２０と室内枠部材２１が連結されている。
【００２４】
室外内周面部１０ａの室内側には、室内枠部材２１により室内内周面部１０ｃが形成される。室内内周面部１０ｃは、室外内周面部１０ａに対し下方に向かう段差状となるように形成され、その室外側面は障子２の上框３０の室内側面と対向する。
【００２５】
室内内周面部１０ｃの室内側面には、室内側に向かって延出するアングル部１０ｄが取付けられる。アングル部１０ｄは、枠体１の室内側に四周に渡って設けられる額縁材６の表面に当接しネジ止め固定される。また、室内内周面部１０ｃの内周端部には、断面略方形状の内周アタッチ部材１０ｅが係合固定される。内周アタッチ部材１０ｅの内周面は、上框３０の見付方向内側端部位置と略同位置となるようにされており、内周アタッチ部材１０ｅと框体４の内周端とが室内外で略同一面内に配置される。また、框体３のうち上框３０が、枠体１の上枠１０により隠されるので、サッシの内観意匠性を高めることができる。
【００２６】
図４には、図１のうち下枠１１付近の拡大図を示している。下枠１１も、障子２と対向する内周面が段状をなしている。下枠１１の室外側の内周面は、障子２の下辺外周面と対向する室外内周面部１１ａである。室外内周面部１１ａの室内側には、室内枠部材２１により室内内周面部１１ｂが形成される。室内内周面部１１ｂは、室外内周面部１１ａに対し上方に向かう段差状となるように形成され、その室外側面は障子２の下框３１の室内側面と対向する。室内内周面部１１ｂの室内端部からは、見付方向内側に向かって室内面部１１ｃが伸びて、その上端位置には室内側に向かって伸びるアングル部１１ｄが固定される。
【００２７】
下枠１１は、室外内周面部１１ａの位置においてブリッジ材２２で室外枠部材２０と室内枠部材２１が連結されている。すなわち、ブリッジ材２２は、室内内周面部１１ｂよりも室外側に配置されるから、室内内周面部１１ｂ及び室内面部１１ｃによって室内側から見えにくい位置とすることができる。
【００２８】
室内内周面部１１ｂには、前述の調整器５が取付けられる。調整器５は、室内内周面部１１ｂの上面に対してビス止め固定される。下枠１１の室内面部１１ｃは、高さが調整器５よりも高く形成されており、室内面部１１ｃと室内内周面部１１ｂの上面及び下框３１の室内側面によって形成される凹状の領域に、調整器５が納められる。
【００２９】
室内面部１１ｃの上端近傍には、室外側に向かって伸びる室外延出部１１ｅが形成されている。室外延出部１１ｅは、調整器５の上方を覆っており、その先端は下框３１の室内側面近傍まで伸びている。調整器５は、図４に示すように、支軸部５ａが上端位置を構成しているので、該上端位置よりも上方位置に室外延出部１１ｅが形成される。
【００３０】
室外延出部１１ｅは、下框３１の見付方向内側端部位置と見付方向略同位置の平面状に形成されており、室外延出部１１ｅと框体４の内周端とが室内外で略同一面内に配置される。これにより、意匠的な連続性を奏すると共に、下框３１を下枠１１で隠して内観意匠性を向上させている。また、室外延出部１１ｅは、アングル部１１ｄとも若干の段差を介して面一状に近く、意匠上の更なる連続性を奏している。
【００３１】
このように、下枠１１と障子２の間に調整器５を取付ける空間を確保し、さらに下枠１１の室内面部１１ｃに調整器５の上方を覆う室外延出部１１ｅを設けたことにより、調整器５を室内側に露出させないようにすることができ、縦辷り出し窓サッシの意匠性を高くすることができる。
【００３２】
図２に示すように、障子２の吊り元側の縦枠１２については、室外内周面部１２ａと段差状をなすように室内内周面部１２ｂが形成され、さらに室内内周面部１２ｂには内周アタッチ部材１２ｃが取付けられる。一方、障子２の戸先側の縦枠１２は、室内外に渡って面一状の内周面部１２ｅを備え、その室内端部には室内面部１２ｆが形成されている。室内面部１２ｆには、アングル部１２ｄが取付けられる。
【００３３】
以上、本発明の実施形態について説明したが、本発明の適用は本実施形態には限られず、その技術的思想の範囲内において様々に適用されうるものである。
【符号の説明】
【００３４】
１    枠体
２    障子
３    框体
４    パネル体
５    調整器
６    額縁材
１０    上枠
１１    下枠
１１ｅ  室外延出部
１２    縦枠
２０    室内枠部材
２１    室外枠部材
２２    ブリッジ材
３０    上框
３１    下框
３２    縦框
【図１】
0005621124.tif 000002
【図２】
0005621124.tif 000003
【図３】
0005621124.tif 000004
【図４】
0005621124.tif 000005